【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
顔料、樹脂エマルジョンおよび水溶性有機溶剤を含有する第１のインクと、顔料、樹脂エマルジョンおよび水溶性有機溶剤を含有する第２のインクと、を少なくとも含む複数のインクを吐出する記録ヘッドと記録媒体上の単位領域との相対的な複数回の走査において用いられる記録データを生成する画像処理装置であって、
前記単位領域内の複数の小領域それぞれに対する前記第１のインクの吐出または非吐出を定める第１の画像データと、前記単位領域内の複数の前記小領域それぞれに対する前記第２のインクの吐出または非吐出を定める第２の画像データと、を取得する取得手段と、
（ｉ）前記複数回の走査に対応し、記録の許容を定める記録許容画素と記録の非許容を定める非記録許容画素が配置された複数の第１のマスクパターンに基づいて、前記第１の画像データから前記複数回の走査で用いる前記第１のインクに対応する第１の前記記録データを生成し、（ｉｉ）前記複数回の走査に対応し、前記記録許容画素と前記非記録許容画素が配置された複数の第２のマスクパターンに基づいて、前記第２の画像データから前記複数回の走査で用いる前記第２のインクに対応する第２の前記記録データを生成する生成手段と、を備え、
前記第２のインクは、所定の寿命時間における動的表面張力が前記第１のインクよりも低く、
前記複数の第２のマスクパターンのうちの１つのマスクパターンにおいて互いに隣接する前記記録許容画素の数の平均は、前記複数の第１のマスクパターンのうちの１つのマスクパターンにおいて互いに隣接する前記記録許容画素の数の平均よりも多いことを特徴とする画像処理装置。
【請求項２】
前記複数の第２のマスクパターンのそれぞれにおいて互いに隣接する前記記録許容画素の数の平均は、いずれも前記複数の第１のマスクパターンのそれぞれにおける互いに隣接する前記記録許容画素の数の平均よりも多いことを特徴とする請求項１に記載の画像処理装置。
【請求項３】
前記第２のインクは、２５℃および前記所定の寿命時間における動的表面張力が前記第１のインクよりも低いことを特徴とする請求項１または２に記載の画像処理装置。
【請求項４】
前記所定の寿命時間は、１０００ｍｓであることを特徴とする請求項１から３のいずれか１項に記載の画像処理装置。
【請求項５】
前記第１、第２のインクの動的表面張力は、最大泡圧法により測定された値であることを特徴とする請求項１から４のいずれか１項に記載の画像処理装置。
【請求項６】
前記樹脂エマルジョンは、加熱により皮膜化する性質を有することを特徴とする請求項１から５のいずれか１項に記載の画像処理装置。
【請求項７】
前記水溶性有機溶剤は、前記樹脂エマルジョンの最低造膜温度を低下させる性質を有することを特徴とする請求項６に記載の画像処理装置。
【請求項８】
前記水溶性有機溶剤は、２−ピロリドンであることを特徴とする請求項７に記載の画像処理装置。
【請求項９】
前記第１のインクに含有される前記水溶性有機溶剤の濃度は、前記第２のインクに含有される前記水溶性有機溶剤の濃度と異なることを特徴とする請求項７または８に記載の画像処理装置。
【請求項１０】
前記記録媒体は、基材と、前記基材上に形成された塩化ビニルの層と、を有することを特徴とする請求項１から９のいずれか１項に記載の画像処理装置。
【請求項１１】
前記複数のインクは、顔料、樹脂エマルジョンおよび水溶性有機溶剤を含有し、前記第２のインクより前記所定の寿命時間における動的表面張力が低い第３のインクを更に含み、
前記取得手段は、前記単位領域内の複数の前記小領域それぞれに対する前記第３のインクの吐出または非吐出を定める第３の画像データを更に取得し、
前記生成手段は、前記複数回の走査に対応し、前記記録許容画素と前記非記録許容画素が配置された複数の第３のマスクパターンに基づいて、前記第３の画像データから前記複数回の走査で用いる前記第３のインクに対応する第３の前記記録データを更に生成し、
前記複数の第３のマスクパターンのうちの１つのマスクパターンにおいて互いに隣接する前記記録許容画素の数の平均は、前記複数の第２のマスクパターンのうちの１つのマスクパターンにおいて互いに隣接する前記記録許容画素の数の平均よりも多いことを特徴とする請求項１から１０のいずれか１項に記載の画像処理装置。
【請求項１２】
前記複数の第２のマスクパターンのそれぞれに配置された前記記録許容画素の数は、前記複数の第１のマスクパターンのそれぞれに配置された前記記録許容画素の数とほぼ等しいことを特徴とする請求項１から１１のいずれか１項に記載の画像処理装置。
【請求項１３】
前記複数の第２のマスクパターンのうちの少なくとも１つのマスクパターンは、前記記録許容画素が配置されていないことを特徴とする請求項１から１２のいずれか１項に記載の画像処理装置。
【請求項１４】
前記単位領域に対する前記第２のインクの吐出量に関する情報を取得する第２の取得手段を更に備え、
前記生成手段は、（ｉｉ−１）前記情報が示す第２のインクの吐出量が所定の閾値よりも多い場合、前記複数の第１のマスクパターンに基づいて前記第２の画像データから前記第２の記録データを生成し、（ｉｉ−２）前記情報が示す第２のインクの吐出量が前記所定の閾値よりも少ない場合、前記複数の第２のマスクパターンに基づいて前記第２の画像データから前記第２の記録データを生成することを特徴とする請求項１から１３のいずれか１項に記載の画像処理装置。
【請求項１５】
前記第１のインクと前記第２のインクは、互いに色が異なることを特徴とする請求項１から１４のいずれか１項に記載の画像処理装置。
【請求項１６】
顔料、樹脂エマルジョンおよび水溶性有機溶剤を含有する第１のインクと、顔料、樹脂エマルジョンおよび水溶性有機溶剤を含有する第２のインクと、を少なくとも含む複数のインクを吐出する記録ヘッドと記録媒体上の単位領域との相対的な複数回の走査において用いられる記録データを生成する画像処理装置であって、
前記単位領域内の複数の小領域それぞれに対する前記第１のインクの吐出または非吐出を定める第１の画像データと、前記単位領域内の複数の前記小領域それぞれに対する前記第２のインクの吐出または非吐出を定める第２の画像データと、を取得する取得手段と、
（ｉ）前記複数回の走査に対応し、記録の許容を定める記録許容画素と記録の非許容を定める非記録許容画素が配置された複数の第１のマスクパターンに基づいて、前記第１の画像データから前記複数回の走査で用いる前記第１のインクに対応する第１の前記記録データを生成し、（ｉｉ）前記複数回の走査に対応し、前記記録許容画素と前記非記録許容画素が配置された複数の第２のマスクパターンに基づいて、前記第２の画像データから前記複数回の走査で用いる前記第２のインクに対応する第２の前記記録データを生成する生成手段と、を備え、
前記第２のインクは、所定の寿命時間における動的表面張力が前記第１のインクよりも低く、
前記複数の第２のマスクパターンのうちの１つのマスクパターンに配置された前記記録許容画素の分散性は、前記複数の第１のマスクパターンのうちの１つのマスクパターンに配置された前記記録許容画素の分散性よりも低いことを特徴とする画像処理装置。
【請求項１７】
顔料、樹脂エマルジョンおよび水溶性有機溶剤を含有する第１のインクと、顔料、樹脂エマルジョンおよび水溶性有機溶剤を含有する第２のインクと、を少なくとも含む複数のインクを吐出する記録ヘッドと、
前記記録ヘッドを記録媒体上の単位領域に対して複数回相対的に走査させる走査手段と、
前記走査手段による走査を伴って前記単位領域に対して前記記録ヘッドから前記第１、第２のインクを吐出するように、前記第１、第２のインクの吐出を制御する制御手段と、を有する画像記録装置であって、
前記第２のインクは、所定の寿命時間における動的表面張力が前記第１のインクよりも低く、
前記制御手段は、所定の走査で前記単位領域上に形成された前記第２のインクのドットにおけるドット連結度が、前記所定の走査で前記単位領域上に形成された前記第１のインクのドットにおけるドット連結度よりも大きくなるように、前記第１、第２のインクの吐出を制御することを特徴とする画像記録装置。
【請求項１８】
前記樹脂エマルジョンは、加熱により皮膜化する性質を有することを特徴とする請求項１７に記載の画像記録装置。
【請求項１９】
前記水溶性有機溶剤は、前記樹脂エマルジョンの最低造膜温度を低下させる性質を有することを特徴とする請求項１８に記載の画像記録装置。
【請求項２０】
前記水溶性有機溶剤は、２−ピロリドンであることを特徴とする請求項１９に記載の画像記録装置。
【請求項２１】
前記複数のインクは、顔料、樹脂エマルジョンおよび水溶性有機溶剤を含有し、前記第２のインクよりも前記所定の寿命時間における動的表面張力が低い第３のインクを更に含み、
前記制御手段は、前記所定の走査で前記単位領域上に形成された前記第３のインクのドットにおけるドット連結度が、前記所定の走査で前記単位領域上に形成された前記第２のインクのドットにおけるドット連結度よりも大きくなるように、前記第２、第３のインクの吐出を制御することを特徴とする請求項１７から２０のいずれか１項に記載の画像記録装置。
【請求項２２】
顔料、樹脂エマルジョンおよび水溶性有機溶剤を含有する第１のインクと、顔料、樹脂エマルジョンおよび水溶性有機溶剤を含有する第２のインクと、を少なくとも含む複数のインクを吐出する記録ヘッドと記録媒体上の単位領域との相対的な複数回の走査において用いられる記録データを生成する画像処理方法であって、
前記単位領域内の複数の小領域それぞれに対する前記第１のインクの吐出または非吐出を定める第１の画像データと、前記単位領域内の複数の前記小領域それぞれに対する前記第２のインクの吐出または非吐出を定める第２の画像データと、を取得し、
（ｉ）前記複数回の走査に対応し、記録の許容を定める記録許容画素と記録の非許容を定める非記録許容画素が配置された複数の第１のマスクパターンに基づいて、前記第１の画像データから前記複数回の走査で用いる前記第１のインクに対応する第１の前記記録データを生成し、（ｉｉ）前記複数回の走査に対応し、前記記録許容画素と前記非記録許容画素が配置された複数の第２のマスクパターンに基づいて、前記第２の画像データから前記複数回の走査で用いる前記第２のインクに対応する第２の前記記録データを生成し、
前記第２のインクは、所定の寿命時間における動的表面張力が前記第１のインクよりも低く、
前記複数の第２のマスクパターンのうちの１つのマスクパターンにおいて互いに隣接する前記記録許容画素の数の平均は、前記複数の第１のマスクパターンのうちの１つのマスクパターンにおいて互いに隣接する前記記録許容画素の数の平均よりも多いことを特徴とする画像処理方法。
【手続補正２】
【補正対象書類名】明細書
【補正対象項目名】００１８
【補正方法】変更
【補正の内容】
【００１８】
そこで、本発明は、顔料、樹脂エマルジョンおよび水溶性有機溶剤を含有する第１のインクと、顔料、樹脂エマルジョンおよび水溶性有機溶剤を含有する第２のインクと、を少なくとも含む複数のインクを吐出する記録ヘッドと記録媒体上の単位領域との相対的な複数回の走査において用いられる記録データを生成する画像処理装置であって、前記単位領域内の複数の小領域それぞれに対する前記第１のインクの吐出または非吐出を定める第１の画像データと、前記単位領域内の複数の前記小領域それぞれに対する前記第２のインクの吐出または非吐出を定める第２の画像データと、を取得する取得手段と、（ｉ）前記複数回の走査に対応し、記録の許容を定める記録許容画素と記録の非許容を定める非記録許容画素が配置された複数の第１のマスクパターンに基づいて、前記第１の画像データから前記複数回の走査で用いる前記第１のインクに対応する第１の前記記録データを生成し、（ｉｉ）前記複数回の走査に対応し、前記記録許容画素と前記非記録許容画素が配置された複数の第２のマスクパターンに基づいて、前記第２の画像データから前記複数回の走査で用いる前記第２のインクに対応する第２の前記記録データを生成する生成手段と、を備え、前記第２のインクは、所定の寿命時間における動的表面張力が前記第１のインクよりも低く、前記複数の第２のマスクパターンのうちの１つのマスクパターンにおいて互いに隣接する前記記録許容画素の数の平均は、前記複数の第１のマスクパターンのうちの１つのマスクパターンにおいて互いに隣接する前記記録許容画素の数の平均よりも多いことを特徴とする。